(57)【要約】      （修正有）【課題】据え付けスペースが狭くても、ガイドレール、油圧ユニット等エレベータ昇降装置を正確に簡単に据え付けるための治具及び据え付け方法を提供する。【解決手段】少なくともガイドレールと油圧ユニットとを含むエレベータ昇降装置を据え付けるために用いる治具１であって、該治具１は四隅に水平レベル調整用アジャスタのアジャスタ装着孔１２が設けられ、中央部に作業スペース１１が打ち抜かれるとともに、上記エレベータ昇降装置を固定するアンカーボルトの所定位置が穿孔されたテンプレートであるエレベータ昇降装置の据え付け治具及び据え付け方法。【選択図】図１
2006264803.tif 000002
【特許請求の範囲】
【請求項１】
少なくともガイドレールと油圧ユニットとを含むエレベータ昇降装置を据え付けるために用いる治具であって、該治具は四隅に水平レベル調整用アジャスタのアジャスタ装着孔が設けられ、中央部に作業スペースが打ち抜かれるとともに、上記エレベータ昇降装置を固定するアンカーボルトの所定位置が穿孔されたテンプレートであるエレベータ昇降装置の据え付け治具。
【請求項２】
請求項１に記載のエレベータ昇降装置の据え付け治具を用いてエレベータ据え付け用ピットの基礎コンクリート面に上記テンプレートに穿たれた孔の位置をマークし、その後上記治具を取り去り、マークされた位置に上記エレベータ昇降装置を固定するアンカーボルトの埋め込み孔を形成するエレベータ昇降装置の据え付け方法。
【発明の詳細な説明】
【技術分野】
【０００１】
本発明は、エレベータ、とくに家庭用エレベータの昇降装置の据え付け治具及びそれを用いた据え付け方法に関する。
【背景技術】
【０００２】
従来、建築等の分野において鉄骨柱脚の設置位置に対応してアンカーボルトを正確に立設し、かつ、レベル調整を簡単に行うための技術が開示されている。
【特許文献１】特開平７−２９２６８４号公報（第１〜３頁、第１図、第３図）。
【発明の開示】
【発明が解決しようとする課題】
【０００３】
上記特許文献１においては、特許文献１の第３図から明らかなように、位置決めテンプレートが用いられ、このテンプレートを用いることにより、鉄骨柱脚の正確な位置出しに対応した位置にアンカーボルトの立設が簡単にでき、またアンカーボルトのレベル調整も簡単にでき、しかも高強度に固定できる柱脚固定金具及び柱脚の取付け構造が開示されている。しかしながら、上記技術は直ちにエレベータ昇降装置の据え付けに適用できるものではない。本発明は、据え付けスペースが狭い場合でもガイドレール、油圧ユニット等、エレベータ昇降装置を
正確に簡単に据え付けるための治具及び据え付け方法を提供することをその課題とする。
【課題を解決するための手段】
【０００４】
上記課題を解決するために、本発明においては、つぎのような技術的手段を講じている。すなわち、本発明によれば、少なくともガイドレールと油圧ユニットとを含むエレベータ昇降装置を据え付けるために用いる治具であって、該治具は四隅に水平レベル調整用アジャスタのアジャスタ装着孔が設けられ、中央部に作業スペースが打ち抜かれるとともに、上記エレベータ昇降装置を固定するアンカーボルトの所定位置が穿孔されたテンプレートであるエレベータ昇降装置の据え付け治具が提供される。
【０００５】
さらに、上記エレベータ昇降装置の据え付け治具を用いてエレベータ据え付け用ピットの基礎コンクリート面に上記テンプレートに穿たれた孔を通して位置をマークし、その後上記治具を取り去り、マークされた位置に上記エレベータ昇降装置を固定するアンカーボルトの埋め込み孔を形成するエレベータ昇降装置の据え付け方法が提供される。
【発明の効果】
【０００６】
請求項１に記載の発明にかかるエレベータ昇降装置の据え付け治具は上記のとおりであり、四隅に水平レベル調整用アジャスタのアジャスタ装着孔が設けられ、中央部に作業スペースが打ち抜かれ、アンカーボルトが挿通し上記エレベータ昇降装置を固定するためのボルト孔の位置が予め穿孔されたテンプレートとされているため、上記アンカーボルトを埋め込む位置を、作業スペースが狭くても、正確に、かつ、簡単に位置決めすることができる。
【０００７】
請求項２に記載の発明にかかるエレベータ昇降装置の据え付け方法は、請求項１に記載の発明にかかるエレベータ昇降装置の据え付け治具を用い、上記テンプレートに穿たれた孔を通して基礎コンクリート面に上記エレベータ昇降装置を固定するアンカーボルトの埋め込み位置をマークし、その後、治具を取り去りマークされた位置をドリル等で孔を開け、アンカーボルトの埋め込み孔を形成するため、当該アンカーボルトによりガイドレール、油圧ユニット等のエレベータ昇降装置を正確にしっかりと据え付けることができる。
【発明を実施するための最良の形態】
【０００８】
以下、本発明の実施形態について図面を参照して、詳細に説明する。図１は、本発明にかかるエレベータ昇降装置を据え付けるために用いる治具１を示す斜視図である。図２は上記治具１をエレベータ据え付け用ピット８の基礎コンクリート面８１に設置した状態を示す側面図である。図３は本実施形態において用いられる家庭用エレベータＡの概略構成を示す説明図である。以下図１、図２、図３を参照して説明する。
【０００９】
図１において、上記治具１の中央部には作業者が作業をするための作業スペース１１が打ち抜いて設けられている。図２には上記治具１の水平レベルを出すために装着されたアジャスタ２が示され、図１の四隅にはアジャスタ２を装着するためのアジャスタ装着孔１２が穿たれている。図１からよくわかるように、上記治具１にはさらに家庭用エレベータＡのジャッキスタンド３を固定する図外ジャッキスタンド用アンカーボルトの埋め込み位置１３、油圧ユニット４を固定する図外油圧ユニット用アンカーボルトの埋め込み位置１４が所定の位置に予めテンプレートとして穿孔されている。
【００１０】
なお、図３において、油圧ジャッキ５と油圧ユニット４とは油圧ホース７によって連結されている。また、ガイドレール６は油圧ジャッキ５と共にジャッキスタンド３に載置、固定され、ジャッキスタンド３の端部にはアンカーボルトを通すボルト孔３１が設けられている。図４は上記ジャッキスタンド３を示す拡大斜視図であり、上記ボルト孔３１を上記アンカーボルトが挿通し、ジャッキスタンド３がしっかりと固定される。
【００１１】
つぎに、上記治具１を用いて本発明にかかるエレベータ昇降装置を据え付ける方法について述べる。まず、図２に示すようにエレベータ据え付け用ピット８の基礎コンクリート面８１に上記治具１を仮置きする。通常、基礎コンクリート面８１は水平ではないため、治具１の四隅に装着されたアジャスタ２と水準器とを用いて水平レベルを出し、さらにジャッキスタンド３の据え付けライン、エレベータ乗り場ライン等の芯出しを行い据え付け位置を決める。
【００１２】
上記作業は、作業員が作業スペース１１の中で行い、作業終了後、図１に示されたジャッキスタンド用アンカーボルトの埋め込み位置１３、油圧ユニット用アンカーボルトの埋め込み位置１４をテンプレートされた穿孔を通して基礎コンクリート面８１にマークする。最終的に治具１を取り去り、上記マークされた箇所をドリル等で孔を開け、アンカーボルトの埋め込み孔を形成する。その後は、アンカーボルトを埋め込み、埋め込まれたアンカーボルトをジャッキスタンド３、油圧ユニット４のボルト孔を挿通させナットによりしっかりと締め付ける。このようにして、ガイドレール６、油圧ユニット４を含むエレベータ昇降装置をエレベータ据え付け用ピット８に水平レベルを保ち、垂直にも芯出しをして簡単、かつ正確に据え付けることができる。
【図面の簡単な説明】
【００１３】
【図１】本発明にかかるエレベータ昇降装置の据え付け治具を示す斜視図である。
【図２】上記治具をエレベータ据え付け用ピットの基礎コンクリート面に設置した状態を示す側面図である。
【図３】本発明の実施形態において用いられる家庭用エレベータの概略構成を示す説明図である。
【図４】本発明の実施形態において用いられるジャッキスタンドを示す拡大斜視図である。
【符号の説明】
【００１４】
１          治具
１１        作業スペース
１２        アジャスタ装着孔
２          アジャスタ
４          油圧ユニット
６          ガイドレール
【図１】
2006264803.tif 000003
【図２】
2006264803.tif 000004
【図３】
2006264803.tif 000005
【図４】
2006264803.tif 000006